(57)【要約】      （修正有）【課題】コンパクトに収容でき、何度使用しても引き出物等の贈答品が入れやすい状態を保つことができるエコバッグを提供する。【解決手段】引き出物等の贈答品を持ち帰るために使用される、上端に開口を有するエコバッグ１０であって、互いに対向する一対の側面１１,１１と、一対の側面１１,１１の下端間に設けられた底部と、一対の側面１１,１１における両側端間に設けられた一対のまち１３，１３とからなり、各部の素材が、非紙製のシート材であり、一対の側面１１,１１の側端縁と一対のまち１３，１３の側端縁との連結部分に、シート材よりも剛性の高い骨状部１５がそれぞれ設けられている。【選択図】図１
0003142428.tif 000002
【実用新案登録請求の範囲】
【請求項１】
引き出物等の贈答品を持ち帰るために使用される、上端に開口を有する袋であって、
互いに対向する一対の側面と、
該一対の側面の下端間に設けられた底部と、
前記一対の側面における互いに対向する側端間に設けられた一対のまちとからなり、
前記各部の素材が、非紙製のシート材であり、
前記一対の側面の側端縁と前記一対のまちの側端縁との連結部分に、前記シート材よりも剛性の高い骨状部がそれぞれ設けられている
ことを特徴とするエコバッグ。
【請求項２】
前記シート材は、
紙よりも柔軟性が高い素材である
ことを特徴とする請求項１記載のエコバッグ。
【請求項３】
前記底部には、
前記一対の側面の下端縁との連結部分と平行に、谷折り部が形成されている
ことを特徴とする請求項１または２記載のエコバッグ。
【請求項４】
前記底部と前記一対のまちとの連結部分に、前記シート材よりも剛性の高い底側骨状部がそれぞれ設けられている
ことを特徴とする請求項１、２または３記載のエコバッグ。
【請求項５】
前記一対の側面の上端部には、前記骨状部間を繋ぐように、前記シート材よりも剛性の高い形状保持部が設けられている
ことを特徴とする請求項１、２、３または４記載のエコバッグ。
【請求項６】
前記骨状部および前記底側骨状部は、前記シート材を複数枚重ねて連結することによって形成されている
ことを特徴とする請求項１、２、３または４記載のエコバッグ。
【考案の詳細な説明】
【技術分野】
【０００１】
本考案は、エコバッグに関する。さらに詳しくは、結婚式や法事（法要等）における引き出物等の贈答品を持ち帰るために使用される袋であるエコバッグに関する。
【背景技術】
【０００２】
従来、結婚式や法事（法要等）における引き出物等の贈答品を持ち帰るための持ち返り用袋として、ある程度の剛性を有する紙を折り曲げて形成された袋が使用されている（例えば、特許文献１）。
かかる持ち返り用袋は、上端に開口部を有しておりその開口部を広げると角筒状の袋となるように形成されているが、紙がある程度の剛性を有しており撓んだり曲がったりしにくい。このため、人が支持しなくても、持ち返り用袋をその開口部が開いた状態で自立させることができるから、持ち返り用袋への引き出物等の出し入れが容易である。
【０００３】
ところで、上記のごとき持ち返り用袋は日常生活でも物品の運搬等に使用できるので、使用後の持ち返り用袋は、廃棄されず何かのときに使用することを考えて保管されることが多い。そして、持ち返り用袋は、製造時から使用時までの間における保管場所を削減するために折り畳んで保管されているので折り目が形成されており、家庭での保管の際にも、既に形成されている折り目に沿って折り畳んで保管されることが多い。
【０００４】
しかし、結婚式などでは出席者が持ち帰る引き出物が多いので、持ち返り用袋も大きいサイズのものが採用される。しかも、持ち返り用袋の側面に折り目が付いていると見栄えが悪いので、保管場所で保管する際には、できる限り側面に折り目が形成されないように折り畳まれる。このため、既に形成されている折り目に沿って持ち返り用袋を折り畳んだだけでは、側面の大きさまでしか折り畳めないので、保管する時に嵩張ってしまい保管に場所をとってしまう。
【０００５】
従来の持ち返り用袋は紙製なので、予め形成されている折り目以外の箇所で折ることも可能であるから、持ち返り用袋を側面の大きさよりも小さく折り畳むこともできる。しかし、この場合には、持ち返り用袋の側面に新たな折り目が形成されてしまう。かかる新たな折り目は、持ち返り用袋を広げても完全に延ばすことはできずそのまま残ってしまうので、持ち返り用袋の見栄えが悪くなる。しかも、持ち返り用袋の側面に余分な折り目が付いてしまえば、その折り目に沿って曲がろうとするくせがつくので、持ち返り用袋が使用しにくくなる。
【０００６】
【特許文献１】実用新案登録第３０２０８１４号
【考案の開示】
【考案が解決しようとする課題】
【０００７】
本考案は上記事情に鑑み、コンパクトに収容でき、見栄えの低下を防ぐことができ、再使用の際に使いやすいエコバッグを提供することを目的とする。
【課題を解決するための手段】
【０００８】
第１考案のエコバッグは、引き出物等の贈答品を持ち帰るために使用される、上端に開口を有する袋であって、互いに対向する一対の側面と、該一対の側面の下端間に設けられた底部と、前記一対の側面における互いに対向する側端間に設けられた一対のまちとからなり、前記各部の素材が、非紙製のシート材であり、前記一対の側面の側端縁と前記一対のまちの側端縁との連結部分に、前記シート材よりも剛性の高い骨状部がそれぞれ設けられていることを特徴とする。
第２考案のエコバッグは、第１考案において、前記シート材は、紙よりも柔軟性が高い素材であることを特徴とする。
第３考案のエコバッグは、第１または第２考案において、前記底部には、前記一対の側面の下端縁との連結部分と平行に、谷折り部が形成されていることを特徴とする。
第４考案のエコバッグは、第１、第２または第３考案において、前記底部と前記一対のまちとの連結部分に、前記シート材よりも剛性の高い底側骨状部がそれぞれ設けられていることを特徴とする。
第５考案のエコバッグは、第１、第２、第３または第４考案において、前記一対の側面の上端部には、前記骨状部間を繋ぐように、前記シート材よりも剛性の高い形状保持部が設けられていることを特徴とする。
第６考案のエコバッグは、第１、第２、第３または第４考案において、前記骨状部および前記底側骨状部は、前記シート材を複数枚重ねて連結することによって形成されていることを特徴とする。
【考案の効果】
【０００９】
第１考案によれば、床などに置いたときに、４本の骨状部が底部から上方に延びるように配置され、その骨状部間に一対の側面が張られた状態となる。すると、骨状部はシート材よりも剛性が高いので、一対の側面が上端と下端との間で折れ曲がらず、一対の側面を立てた状態で保持することができる。しかも、一対の側面間には一対のまちが設けられているので、一対の側面の上端間が完全に閉じてしまったり、拡がりすぎたりすることを防ぐことができる。よって、ある程度開口させた状態で袋を自立させておくことができる。
第２考案によれば、シート材は紙よりも柔軟性が高いので、折り曲げても折り目が付きにくい。このため、もともと形成されている折り目以外の部分で袋を折り曲げても、新たな折り目が付きにくい。すると、袋を側面よりも小さく折り畳んで保管しておいても、再使用するときに、袋の見栄えが悪くなったり、袋が使用しにくくなったりすることを防ぐことができる。
第３考案によれば、谷折り部に沿って底部を折り曲げれば、一対の側面同士が合わさった状態まで袋を折り畳むことができる。この場合、製造時に一対の側面に折り目を形成する必要がないから、袋の外観を向上させることができる。
第４考案によれば、一対の底側骨状部によって底部を比較的長期間所定の形状に保つことができるので、袋を安定した状態で自立させておくことができる。
第５考案によれば、形状保持部はシート材よりも剛性が高いので、骨状部間において一対の側面が折れ曲がりにくくなるから、開口部を開いた状態に維持し易くなる。
第６考案によれば、骨状部および底側骨状部の剛性をシート材の剛性よりも高く維持しつつ、骨状部および底側骨状部にある程度の柔軟性や屈曲性を付与することができる。よって、袋を畳んで収納するときに、骨状部や底側骨状部が邪魔にならないし、袋をよりコンパクトに折り畳むことができる。
【考案を実施するための最良の形態】
【００１０】
つぎに、本考案の実施形態を図面に基づき説明する。
本考案のエコバッグは、結婚式や法事（法要等）における引き出物等の贈答品を持ち帰るために使用される袋であって、自立させることができ、しかも、コンパクトに折り畳むことができ、再使用しやすいものである。つまり、本考案のエコバッグ１０は、贈答品を持ち帰る袋として使用しやすく、しかも、家庭等で保管しておき何度でも使用できるものである。
【００１１】
図１は本実施形態のエコバッグ１０の概略斜視図である。図２は（Ａ）は本実施形態のエコバッグ１０をまち１３側から見た図であり、（Ｂ）本実施形態のエコバッグ１０を底部１２側から見た図である。
【００１２】
図１に示すように、本実施形態のエコバッグ１０は、その内部に中空な空間を有する袋であり、上部に設けられている開口から、前記中空な空間内に物品を入れることができるように構成されている。
このエコバッグ１０は、シート状に形成された非紙製の材料（シート材）から形成されたものである。このシート材には、例えば、綿や麻、絹、毛、皮、樹脂（ナイロン、ビニールなど）等からなる織物や不織布などを採用することができるが、引き出物等の持ち帰り袋に使用される紙と比べて柔軟性が高い材料であればよい。つまり、前記紙よりも折り曲げやすく、また、折り曲げても折り目が残りにくいシート材であれば、本実施形態のエコバッグ１０を形成するシート材として使用することができる。
【００１３】
図１および図２に示すように、本実施形態のエコバッグ１０は、略方形に形成された一対の側面１１，１１を備えている。
なお、図１には、側面１１が横長の長方形状の場合を例示しているが、側面１１は正方形状でもよいし縦長の長方形状や台形状などでもよいのは、いうまでもない。
また、側面１１の上端部には紐などを通すための孔が形成されている。
【００１４】
前記一対の側面１１，１１の下端間には、略方形の底部１２が設けられている。この底部１２の一対の側端縁は、一対の側面１１，１１の下端縁とそれぞれ連結されて連結部分１２ｂが形成されている。そして、底部１２の左右方向の中間には、前記連結部分１２ｂと略平行となるように、谷折り部１２ａが形成されている。
【００１５】
図１および図２に示すように、前記一対の側面１１，１１の間には、一対のまち１３,１３が設けられている。各まち１３は、その側端縁が一対の側面１１，１１の側端縁と連結されており、この連結部分に骨状部１５が形成されている。また、各まち１３は、その下端縁が前記底部１２の前後端縁（図２（Ｂ）では上下方向の端縁）と連結されており、この連結部分に底側骨状部１６が形成されている。
【００１６】
前記骨状部１５は、例えば、まち１３の側端縁と側面１１の側端縁とを重ねた状態で両者を縫合または貼り付けることによって形成されており、その厚さがまち１３や側面１１よりも厚くなるように形成されている。例えば、まち１３の側端縁および側面１１の側端縁を、それぞれ折り返した状態で重ねて縫合することによって形成されている。
同様に、前記底側骨状部１６は、例えば、まち１３の下端縁と底部１２の前後端縁とを重ねた状態で両者を縫合または貼り付けることによって形成されており、その厚さがまち１３や底部１２よりも厚くなるように形成されている。例えば、まち１３の下端縁および底部１２の前後端縁を、それぞれ折り返した状態で重ねて縫合することによって形成されている。
つまり、骨状部１５および底側骨状部１６は、いずれも側面１１等を形成するシート材よりも剛性が高くなるように形成されているのである。
【００１７】
また、各まち１３には、その左右方向（図２（Ａ）の左右方向）の中間には、谷折り部１３ａが形成されている。この谷折り部１３ａは、各まち１３を拡げたときに、骨状部１５と略平行となるように、各まち１３の上端から各まち１３の下端よりも上方の位置Ｐまで形成されている。しかも、各まち１３には、位置Ｐと連結部分１２ｂとの間にも谷折り部１３ｂが形成されており、位置Ｐと底側骨状部１６谷折り部１２ａとの間には山折り部１３ｃが形成されている。
【００１８】
以上のごとき構成であるから、図１に示すように、本実施形態のエコバッグ１０を、その底部１２の谷折り部１２ａをのばした状態で床などの上に置けば、４本の骨状部１５が底部１２から上方に延びるように配置される。
このとき、一対の側面１１，１１や一対のまち１３，１３を形成するシート材はそれほど剛性が高くないので、その上端と下端との間で折れ曲がったり撓んだりしようとする。しかし、骨状部１５は、その剛性がシート材の剛性よりも高くなっており、一対の側面１１，１１等の折れ曲がり等に対して抵抗となるから、一対の側面１１，１１や一対のまち１３，１３は、骨状部１５間に張られた状態で維持される。
よって、骨状部１５によって一対の側面１１，１１や一対のまち１３，１３が立った状態を保持することができるから、本実施形態のエコバッグ１０を自立させることができるのである。
【００１９】
また、本実施形態のエコバッグ１０を自立させたときには、一対の側面１１，１１はその下端を支点としてその上端同士が互いに接近離間する方向に移動しようとする
しかし、一対の側面１１，１１間には、谷折り部１３ａが形成された一対のまち１３，１３が配置されており、一対のまち１３，１３はスペーサのように機能する。すると、一対の側面１１，１１が接近する方向に移動しても、一対の側面１１，１１の上端間が完全には閉じない。
また、谷折り部１３ａはその折り目をのばす力に対して抵抗となる。すると、一対のまち１３，１３によって、一対の側面１１，１１はその上端同士が接近する方向に引っ張られるので、一対の側面１１，１１の上端間が拡がりすぎない。
つまり、一対のまち１３，１３が存在しているので、本実施形態のエコバッグ１０では、単に自立させるだけでなく、上端の開口１０ｈをある程度開口させておくこともできるのである。
【００２０】
そして、本実施形態のエコバッグ１０を保管するときには、底部１２をその谷折り部１２ａで谷折りし、一対のまち１３,１３を、谷折り部１３ａおよび谷折り部１３ｂで谷折りしかつ山折り部１３ｃで山折りする。すると、底部１２および一対のまち１３,１３を一対の側面１１，１１間に配置できるから、エコバッグ１０を折り畳んで、薄くすることができる（図３（Ａ））。
【００２１】
しかも、４本の骨状部１５以外の部分はそれほど剛性が高くないので、図４（Ａ）、（Ｂ）に示すように、隣接する骨状部１５間で折り畳むことができる。すると、一対の側面１１，１１の幅よりも細くエコバッグ１０を折り畳むことできるから、エコバッグ１０をよりコンパクトにでき、場所を取らず保管することができる。
【００２２】
そして、本実施形態のエコバッグ１０は、その各部が紙よりも柔軟性が高いシート材によって形成されているから、隣接する骨状部１５間で折り曲げてもその部分に折り目が付きにくい。このため、折り畳んだ状態からエコバッグ１０を広げても折り目の線が一対の側面１１，１１などに現れないので、保管していたエコバッグ１０を再使用しても見栄えが悪くならない。
しかも、折り目のくせが付かないので、折り畳んでいたエコバッグ１０を拡げれば、エコバッグ１０を折り畳んで保管する前の状態とほぼ同じ状態に戻すことができる。よって、まち１３や底部１２に形成されている折り目以外の部分で折って保管しても、エコバッグ１０が使いにくくなることを防ぐことができる。
【００２３】
なお、本実施形態のエコバッグ１０を折り畳む方法は上記の方法に限られないのはいうまでもない。例えば、底部１２に谷折り部１２ａを設ける代わりに、一方の側面１１にその下端縁と平行な谷折り部を設けて、図３（Ｂ）に示すように折り畳むことができるようにしてもよい。しかし、この場合には、一方の側面１１に折り目が形成されるので、図３（Ａ）のように折り畳むほうがより好ましい。
【００２４】
上記の本実施形態のエコバッグ１０では底側骨状部１６を設けているが、この底側骨状部１６は必ずしも設けなくてもよい。しかし、底側骨状部１６を形成しておけば、底側骨状部１６の剛性によって、底部１２を比較的長い期間所定の形状に維持しておくことができるので、エコバッグ１０を安定した状態で自立させておくことができる。例えば、底側骨状部１６があれば、図５に示すように、底部１２をその谷折り部１２ａが少し折られた状態のままで維持しやすくなるから、底部１２が完全に平坦になっているよりも、エコバッグ１０を自立させやすい。
【００２５】
そして、底側骨状部１６を設けた場合において、図１および図５に示すように、底側骨状部１６および骨状部１５を、両者が連続するように形成すれば、連結部分１２ｂと対応する位置には折り目が形成される。すると、この折り目は両者を互いに接近させるような引張り力を発生するので、この折り目は、一対の側面１１，１１の上端同士が互いに離間しようとする動きに対する抵抗としても機能する。よって、エコバッグ１０をより自立させやすくなる。
【００２６】
また、図１に示すように、本実施形態のエコバッグ１０の一対の側面１１，１１の上端部に、隣接する骨状部１５，１５間を繋ぐように、シート材よりも剛性の高い形状保持部１７を設けてもよい。この形状保持部１７は、側面１１，１１の上端を折り曲げたり、折り曲げた部分に厚紙やプラスチックなどの強度部材を挟んだりすることによって形成されている。かかる形状保持部１７を設ければ、一対の側面１１，１１が骨状部１５，１５間で折れ曲がりにくくなるので、エコバッグ１０をより自立した状態に保たせ易くなるし、エコバッグ１０の開口部１０ｈを開いた状態に維持し易くなるので、好ましい。
とくに、形状保持部１７を設けた場合において、骨状部１５の下端と底側骨状部１６の端部との間、および、骨状部１５の上端部と形状保持部１７との間を連結すれば、これらを繋いだ骨組みが形成されるので、エコバッグ１０をより一層自立した状態で保たせ易くなるので、好ましい。
【００２７】
さらに、底部１２の側端縁と一対の側面１１，１１の下端縁との連結部分１２ｂにも、骨状部１５や底側骨状部１６に類似した、シート材よりも剛性の高い骨状部を形成してもよい。この場合には、骨状部１５，１５間における一対の側面１１，１１の折れ曲がりが生じにくくなるから、エコバッグ１０をより自立させやすくなる。
そして、この骨状部も骨状部１５や底側骨状部１６と連結するようにしておけば、さらに、エコバッグ１０をより一層自立した状態で保たせ易くなる。
【００２８】
上述した骨状部１５や底側骨状部１６は、上述した方法に限られず、どのような方法で形成してもよい。
例えば、まち１３の側端縁と側面１１の側端縁との間や、まち１３の下端縁と底部１２の前後端縁との間に、厚紙やプラスチックなどの強度部材を挟んだ状態で両者を固定して骨状部１５や底側骨状部１６を形成してもよい。
しかし、シート材以外の材料を使用せず、シート材を複数枚重ねて連結することによって骨状部１５や底側骨状部１６を形成すれば、骨状部１５や底側骨状部１６の剛性をシート材の剛性よりも高く維持しつつ、骨状部１５や底側骨状部１６にある程度の柔軟性や屈曲性を付与することができる。すると、エコバッグ１０を折り畳んで収納するときに、骨状部１５や底側骨状部１６もある程度は折り曲げることができるし、骨状部１５や底側骨状部１６を折り曲げても折り目が付きにくくなる。この場合、エコバッグ１０を折り畳むときに骨状部１５や底側骨状部１６があまり邪魔にならないし、エコバッグ１０をよりコンパクトに折り畳むことができる（図４（Ｃ））。
【００２９】
また、一対のまち１３,１３と一対の側面１１，１１とが一枚のシート材によって形成されている場合には、両者の間の部分を何回か山折谷折して折り畳み、その折り畳まれた状態で縫合等の方法で固定すれば、前記骨状部１５を形成することができる。
同様に、一対のまち１３,１３と底部１２とが一枚のシート材によって形成されている場合には、両者の間の部分を何回か山折谷折して折り畳み、その折り畳まれた状態で縫合等の方法で固定すれば、前記底側骨状部１６を形成することができる。
【００３０】
そして、本実施形態のエコバッグ１０は、一対の側面１１，１１や底部１２、一対のまち１３,１３等の表面に、フッ素等をコーティングする表面処理を行ってもよい。この場合には、エコバッグ１０の表面の汚れを防止することができるし、撥水性を付与することもできる。
【産業上の利用可能性】
【００３１】
本発明のエコバッグ１０は、結婚式や法事（法要等）における引き出物等の贈答品等を持ち帰るために使用される袋に適している。
【図面の簡単な説明】
【００３２】
【図１】本実施形態のエコバッグ１０の概略斜視図である。
【図２】（Ａ）は本実施形態のエコバッグ１０をまち１３側から見た図であり、（Ｂ）本実施形態のエコバッグ１０を底部１２側から見た図である。
【図３】（Ａ）本実施形態のエコバッグ１０を折り畳んだ状態の説明図であり、（Ｂ）はエコバッグ１０の他の方法で折り畳んだ状態の説明図である。
【図４】（Ａ）は本実施形態のエコバッグ１０を一対の骨状部１５，１５の間で折り畳む途中の状況の説明図であり、（Ｂ）は本実施形態のエコバッグ１０を一対の骨状部１５，１５の間で折り畳んだ状態の説明図であり、（Ｃ）は（Ｂ）の状態からさらに折り畳んだ状態の説明図である。
【図５】底部１２の谷折り部１２ａが少し折られた状態における本実施形態のエコバッグ１０の概略斜視図である。
【符号の説明】
【００３３】
１０        エコバッグ
１１        側面
１２        底部
１３        まち
１５        骨状部
１６        底部骨状部
１７        形状保持部
【図１】
0003142428.tif 000003
【図２】
0003142428.tif 000004
【図３】
0003142428.tif 000005
【図４】
0003142428.tif 000006
【図５】
0003142428.tif 000007